(57)【特許請求の範囲】
【請求項１】
予め設定された第１の領域内で移動体を検知可能な第１の移動体検知手段と、
予め設定された第２の領域内で前記移動体が装置本体に接近していることを検知する第２の移動体検知手段と、
前記装置本体の背面及び／又は側面より香りを放出する香り放出手段と、を備え、
前記移動体が前記第１の領域内に存在しているときに、前記装置本体の背面及び／又は側面より第１の強度で香りを放出し、前記第２の領域内で前記移動体が前記装置本体に接近しているときに、前記装置本体の背面及び／又は側面より前記第１の強度より弱い第２の強度で香りを放出する、
ことを特徴とする画像形成装置。
【請求項２】
前記第１の移動体検知手段が、人が発する特定波長の赤外線を焦電効果を用いて検知する人感センサであり、前記第２の移動体検知手段が、定められた設定領域を撮像する人検知カメラ又は前記移動体が前記装置本体に対面している状態を検知する反射型センサである、
ことを特徴とする請求項１に記載の画像形成装置。
【請求項３】
前記第１の移動体検知手段が前記第１の領域内で前記移動体を検知したとき、又は前記第２の移動体検知手段が前記第２の領域内で前記移動体を検知したとき、前記装置本体の熱源に電力を供給する、
ことを特徴とする請求項１又は２に記載の画像形成装置。
【請求項４】
コンピュータを、請求項１ないし３のいずれか１項に記載の画像形成装置の前記第１の移動体検知手段、第２の移動体検知手段、及び前記香り放出手段として機能させるための
プログラム。
【発明の詳細な説明】
【技術分野】
【０００１】
本発明は、画像形成装置に関する。
【背景技術】
【０００２】
装置内の気体を外部に強制排気するファンと、処理中に装置内で発生するオゾンの濃度を低減するためのフィルタと、排気用の排気口とを備えた電子写真式の画像形成装置の排気方式において、ファンと排気口との間に芳香剤を有する画像形成装置の排気方式が知られている（特許文献１）。
【先行技術文献】
【特許文献】
【０００３】
【特許文献１】特開平２−２７５９６９号公報
【発明の概要】
【発明が解決しようとする課題】
【０００４】
従来の技術では、画像形成装置周辺の使用者の存在の有無に拘わらず香りを放出していた。
本発明は、予め設定された領域内で移動体を検知可能な移動体検知手段を備えていない場合に比して、使用者に適度な香りを提供することを目的とする。
【課題を解決するための手段】
【０００５】
前記課題を解決するために、請求項１記載の画像形成装置は、
予め設定された第１の領域内で移動体を検知可能な第１の移動体検知手段と、
予め設定された第２の領域内で前記移動体が装置本体に接近していることを検知する第２の移動体検知手段と、
前記装置本体の背面及び／又は側面より香りを放出する香り放出手段と、を備え、
前記移動体が前記第１の領域内に存在しているときに、前記装置本体の背面及び／又は側面より第１の強度で香りを放出し、前記第２の領域内で前記移動体が前記装置本体に接近しているときに、前記装置本体の背面及び／又は側面より前記第１の強度より弱い第２の強度で香りを放出する、
ことを特徴とする。
【０００８】
請求項２記載の発明は、請求項１に記載の画像形成装置において、
前記第１の移動体検知手段が、人が発する特定波長の赤外線を焦電効果を用いて検知する人感センサであり、前記第２の移動体検知手段が、定められた設定領域を撮像する人検知カメラ又は前記移動体が前記装置本体に対面している状態を検知する反射型センサである、
ことを特徴とする。
【０００９】
請求項３記載の発明は、請求項１又は２に記載の画像形成装置において、
前記第１の移動体検知手段が前記第１の領域内で前記移動体を検知したとき、又は前記第２の移動体検知手段が前記第２の領域内で前記移動体を検知したとき、前記装置本体の熱源に電力を供給する、
ことを特徴とする。
【００１０】
前記課題を解決するために、請求項４に記載のプログラムは、
コンピュータを、請求項１ないし３のいずれか１項に記載の画像形成装置の前記第１の移動体検知手段、第２の移動体検知手段、及び前記香り放出手段として機能させるためのプログラムである。
【発明の効果】
【００１１】
本発明によれば、使用者が画像形成装置に近づいているときに香りを弱くしない場合に比して、過度な香りを抑制し使用者に適度に香りを届けることができる。
【図面の簡単な説明】
【００１２】
【図１】画像形成装置１の外観全体を示す概略構成図である。
【図２】画像形成部２の内部構成を示す断面構成図である。
【図３】画像形成装置１の左側方側に視点をおいたときの排気装置７０の構成及び装置内における配置を示す概略図である。
【図４】人検知装置１００の機能構成を示すブロック図である。
【図５】人検知装置１００における人感センサ１１０と人検知カメラ１２０の人検知範囲を示す模式図である。
【図６】人検知装置１００における人感センサ１１０と反射型センサ１２０Ａの人検知範囲を示す模式図である。
【図７】排気装置７０の動作の流れを示すフローチャートである。
【図８】画像形成装置１における人検知装置１００の人検知状態を示す模式図である。
【図９】画像形成装置１Ａにおける排気装置７０Ａの動作の流れを示すフローチャートである。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
「第１実施形態」
（１）画像形成装置の全体構成及び動作
図１は本実施形態に係る画像形成装置１の外観全体を示す概略構成図、図２は画像形成装置１の内部構成を示す断面模式図である。
以下、図面を参照しながら、画像形成装置１の全体構成及び動作を説明する。
【００１５】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
画像形成部２は、筐体Ｆ（不図示）が形成する内部空間に、制御装置１０、給紙装置２０、感光体ユニット３０、現像装置４０、転写装置５０、定着装置６０、排気装置７０が配置され、筐体Ｆは分割された複数の外装カバー５で覆われて構成されている。
【００１６】
読取装置支持部４には、外装カバー５の内面側に移動体検知手段の一例としての人感センサ１１０と、人検知カメラ１２０が装着されている。人感センサ１１０及び人検知カメラ１２０は、移動体の一例としての人を検知し、人感センサ１１０で検知された検知信号、人検知カメラ１２０で撮像された画像データを制御装置１０へ送信する送信部１５０を含めて人検知装置１００を構成している。
【００１７】
読取部３の前面側には、ユーザーインターフェイスとしての操作情報部９０が配置されている。操作情報部９０は、液晶表示パネル、各種操作ボタン、タッチパネル等を組み合わせて構成され、画像形成装置１の使用者は、操作情報部９０を介して各種の設定や指示の入力を行う。また、液晶表示パネルを介して画像形成装置１の使用者へ各種情報を表示する。
【００１８】
（１．２）画像形成部
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。
【００１９】
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２０】
感光体ユニット３０は、給紙装置２０の上方（Ｚ方向）に、それぞれが並列して設けられ、回転駆動する像保持体としての感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２１】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２２】
転写装置５０においてトナー像が一括転写された用紙Ｐは、トナー像が未定着の状態で搬送ガイドを経由して定着装置６０に搬送され、一対の定着ローラ６１と加圧ローラ６２により、圧着と加熱の作用でトナー像が定着される。
定着トナー像が形成された用紙Ｐは、搬送ガイドによってガイドされ、排出ローラ対６９から画像形成部２の上面に排出される。
【００２３】
画像形成部２には、排気装置７０が設けられている。排気装置７０は、筐体Ｆ内で画像形成装置１の背面側に向かって形成された通気ダクト７１（図３に図示）を有し、外装カバー５に形成されたルーバー部５ａ（図３に図示）から画像形成部２内の定着装置６０、電源装置１４等の稼働によって熱せられた空気を外部へ排出している。
【００２４】
（２）排気装置の構成
図３は画像形成装置１の左側方側に視点をおいたときの排気装置７０の構成及び装置内における配置を示す概略図である。以下図面を参照しながら、排気装置７０の構成について説明する。
【００２５】
排気装置７０は、通気ダクト７１、排気ファン７２、フィルタ７３から構成されている。画像形成装置１の背面側の筐体Ｆ（不図示）には通気ダクト７１が配置されて、画像形成装置１内の熱源の一例としての定着装置６０、電源装置１４等の稼働によって熱せられた空気を画像形成装置１外部へ排出する通気路７１ａを形成している。通気ダクト７１の空気吸引側となる吸気口７１Ａは、定着装置６０の側方の上方に位置し、通気ダクト７１の排気側となる排気口７１Ｂは、外装カバー５側に位置している。
外装カバー５には、画像形成装置１外部と連通するように開口されたルーバー部５ａが形成され、通気ダクト７１の排気口７１Ｂはルーバー部５ａと連通している。
【００２６】
ルーバー部５ａは、画像形成装置１の背面側に設けられても（図３に図示）、左側方側に設けられていてもよい。
【００２７】
通気ダクト７１内の通気路７１ａの途中には、排気ファン７２が配置されている。更に、通気ダクト７１の排気側となる排気口７１Ｂにはフィルタ７３が配置されている。
フィルタ７３は、中央部側が開口した支持フレーム７３ａに対して予め香り成分が吸着された香りフィルタ材７３ｂから構成され、その全体が通気ダクト７１の排気口７１Ｂに固定するように取り付けても、あるいは、フィルタ７３の寿命等に応じた交換を行う観点から着脱自在に取り付けられるように構成してもよい。
【００２８】
香りフィルタ材７３ｂは、例えば、空気透過性の多孔質部材に所定の温度で揮発するアロマオイル等の芳香剤が予め吸着されたものであり、香りについては、人にとっての好ましい香りは千差万別であるため、特に限定されない。
また、フィルタ材７３ｂには、画像形成装置１内に発生する揮発物質を吸着する活性炭を更に加えてもよい。
【００２９】
このように構成される排気装置７０において、排気ファン７２が回転すると、画像形成装置１内部の定着装置６０、電源装置１４等の稼働によって熱せられた空気が通気ダクト７１の吸気口７１Ａから通気路７１ａ内に吸入され、フィルタ７３内を通過して外装カバー５のルーバー部５ａを介して装置外部へ排気される。
【００３０】
（３）人検知装置の構成と動作
図４は人検知装置１００の機能構成を示すブロック図、図５は人検知装置１００における人感センサ１１０と人検知カメラ１２０の人検知範囲を示す模式図、図６は人検知装置１００における人感センサ１１０と反射型センサ１２０Ａの人検知範囲を示す模式図である。
以下図面を参照しながら、人検知装置１００の構成と動作について説明する。
【００３１】
（３．１）人検知装置の概略構成と動作
人検知装置１００は、人感センサ１１０、人検知カメラ１２０、画像蓄積部１３０、判定処理部１４０、送信部１５０、制御部１６０、を備えている。
判定処理部１４０は、画像蓄積部１３０に蓄積された画像データと、人検知カメラ１２０から出力される画像データと、に基づいて画像形成装置１が設置された空間内における移動体の一例としての人の動きを判定する。
尚、画像蓄積部１３０、判定処理部１４０、送信部１５０、制御部１６０は、マイクロプロセッサ、メモリ等とともに半導体チップ上に集積したＳｏＣ（System on a Chip）として、画像形成装置１の動作を制御する画像形成装置制御部１１と独立して設けることができる。
【００３２】
（３．２）人感センサ
人感センサ１１０は、焦電素子、レンズ、ＩＣ、プリント基板などを備え、人が動く際におこる赤外線の変化量を検出し、検出した変化量が予め定められた基準値を上回った場合に、予め定められた領域（図５に示す検知範囲Ａ１）内に人が入ってきたことを検知する焦電型センサ１１１と、焦電型センサ１１１を実装する基板１１２と、を備えている。
尚、焦電型センサ１２１は画像形成装置１を駆動するために必要な電力よりも低い電力が供給された状態で動作可能であり、例えば、消費電力が０．００６Ｗである。
【００３３】
焦電型センサ１１１の横方向の検知範囲は、中心方向に対して全方向に左右対称に予め定められた角度（図５では角度αとして表示）範囲となる。つまり、検知面が向けられた方向を中心方向とした場合に、中心方向に対して全方向角度αの角度範囲が、焦電型センサ１１１の検知範囲となる。
本実施形態に係る画像形成装置１においては、この焦電型センサ１１１の検知範囲を、焦電型センサ１１１の前方側に外装カバー５を配置することで、図５に網点で示した範囲に限定し、この範囲を人感センサ１１０の検知範囲Ａ１、一例として１４０°（α）としている。
【００３４】
焦電型センサ１１１の上下方向の検知範囲に関しては、外装カバー５に焦電型センサ１１１の中心位置よりも下方に位置する部位にのみ開口部を形成し、画像形成装置１を設置した床面における水平方向の距離が図４に網点で示した規定距離Ｌ１としている。規定距離Ｌ１としては、一例として０．８ｍ〜１．３ｍ（８００ｍｍ〜１３００ｍｍ）としている。
【００３５】
その結果、焦電型センサ１１１の横方向の検知範囲及び上下方向の検知範囲を画像形成装置１の斜め下方に限定することで、人感センサ１１０の検知範囲Ａ１が広範囲になることに起因して、画像形成装置１を使用する予定のない、例えば通行人（以下、非使用者と記す）を検知することを抑制している。
【００３６】
（３．３）人検知カメラ
人検知カメラ１２０は、撮像部１２１と、映像出力部１２２とを備えている。撮像部１２１は、更に、画像センサ１２１ａ（不図示）と、光学像を画像センサ１２１ａの受光エリアに形成する光学レンズ１２１ｂ（不図示）とを備えている。また、撮像部１２１は、これ以外に必要な回路等も含んでいる。
尚、画像センサ１２１ａとしては、画像形成装置１が設置された空間の定められた領域において、人の顔領域あるいは移動する人の全身領域の有無、形状（輪郭）等を検出するものであり、例えば、イメージセンサ（ＣＣＤイメージセンサやＣＭＯＳイメージセンサ）が適用可能である。
【００３７】
映像出力部１２２は、撮像部１２１によって撮像した映像を画像蓄積部１３０に出力する。具体的には、映像出力部１２２は、画像センサ１２１ａから出力された撮像データに対して、デジタル変換、ノイズ除去といった処理を施し、得られたデジタルデータを、映像として、画像蓄積部１３０に出力する。
【００３８】
判定処理部１４０は、人検知カメラ１２０により撮像され映像出力部１２２から画像蓄積部１３０に入力される画像データから人の位置座標を算出する。
そして、時系列に沿って算出される人の位置座標の変化に基づいて使用者が画像形成装置１に接近していることを検知する。すなわち画像形成装置１周囲における人の「使用者」又は「非使用者」の判定を行う。
【００３９】
（３．４）反射型センサ
人検知装置１００は、人検知カメラ１２０に代えて、赤外線発光ダイオード等からなる発光素子と発光素子から発した光が人に反射されたときにその反射光を受光する受光素子とを有する赤外線反射型の反射型センサ１２０Ｂを用いることができる。
反射型センサ１２０Ａは、受光部に入る光を遮断する／しないによって移動体の有無を確実に検出することが特徴であるが、投光部から投光される光量等により、受光部へ入射する光量に制限があるため、比較的近距離が検出領域（Ａ３、図６参照）である。
【００４０】
（４）人検知装置を用いた排気装置の動作制御
図７は排気装置７０の動作の流れを示すフローチャート、図８は画像形成装置１における人検知装置１００の人検知状態を示す模式図である。
以下、本実施形態に係る排気装置７０の動作制御について、さらに具体的に説明する。
尚、以下の説明においては、人検知カメラ１２０を備えた人検知装置１００を例として説明するが、人検知装置１００としては反射型センサ１２０Ａを備えている場合も同様である。
【００４１】
画像形成装置１は消費電力の異なる複数の電力モード（動作モード）を有する。電力モードの例としては、電源スイッチがオンになって画像形成装置１の電源が投入された時のウォームアップモードと、受け付けた印刷ジョブを実行して画像形成処理を行うランモード（通常モード）と、印刷ジョブの発生に備えて待機するスタンバイモードと、画像形成装置１の消費電力量を抑制するための省電力モードと、がある。
スタンバイモード及び省電力モードにおいては、画像形成部２に供給する電力を停止又は通常モードにおける電力量よりも低下させる。これにより省電力モードの消費電力量は、通常モードの消費電力量よりも低くなる。（以下の説明では、動作モードについて、印刷ジョブの発生に備えて待機するスタンバイモード又は画像形成装置１の消費電力量を抑制するための省電力モードにある状態を待機状態と記す）。
【００４２】
排気装置７０は、画像形成装置１の動作モードが待機状態にあるときは、停止している。排気装置７０は、画像形成装置１の動作モードが使用状態にあるときに稼動し、排気ファン７２を動作させて画像形成装置１内の定着装置６０、電源装置１４等の稼働によって熱せられた空気を通気ダクト７１を介して取り入れ、フィルタ７３内を通過させて外装カバー５のルーバー部５ａから装置外部へ排出する際に、香りを放出する。
【００４３】
画像形成装置１の外部へ放出された香りは、使用者に届いて初めて、効用を発揮できるために、使用者が画像形成装置１を操作しているときに、使用者まで届く必要がある。
画像形成装置１の前面（使用者側）から香りを放出する場合には、使用者へ香りが届くまでのタイムラグが少なく、使用者が画像形成装置１を操作している間に香りが届きやすい一方、画像形成装置１内の熱せられた空気も使用者側へ排気される虞があった。
また、放出された香りは、画像形成装置１の外部へ放出された時点で最も濃度が高く、その後大気中に拡散して、使用者に適度な香りが届く。
【００４４】
本実施形態に係る画像形成装置１においては、画像形成装置１の動作モードが待機状態において、人検知装置１００が予め定められた領域内に人が入ってきたことを検知した場合、電力モードを通常モードに切り替えて定着装置６０及び排気装置７０を動作させ、香りを放出する。すなわち、使用者が予め定められた領域内に存在しているときに香りを放出することができる。
【００４５】
（４．１）人検知装置１００の検知判断
人感センサ１１０が予め定められた領域（図５に示す検知範囲Ａ１）内に人が入ってきたことを検知すると、検知信号が制御部１６０に送られる（Ｓ１０１）。
制御部１６０は、人感センサ１１０の検知信号に基づいて、人検知カメラ１２０をＯＮにして、人検知カメラ１２０の撮像領域（図５に示す撮像範囲Ａ２）において撮影され画像蓄積部１３０に入力された画像データを取得する（Ｓ１０２）。
【００４６】
そして、判定処理部１４０は、検知された人が「使用者」か「非使用者」かの判定を行う（Ｓ１０３）。具体的には、取得される画像データから人の位置座標を時系列に沿って算出し、算出される位置座標の変化に基づいて、使用者が画像形成装置１に接近していることを検知する。すなわち、予め定められた人検知カメラ１２０の撮像領域内における人が「使用者」又は「非使用者」の判定を行う。
【００４７】
撮像領域内で検知された人が「使用者」と判定された場合（Ｓ１０３：Ｙｅｓ、図８（ａ））、画像形成装置１の動作を制御する画像形成装置制御部１１は排気装置７０の排気ファン７２をＯＮにして、香りを放出する（Ｓ１０４）。
「使用者」が画像形成装置１の使用を終えて、画像形成装置１から離れる状態においては、人検知カメラ１２０の撮像領域（Ａ２）で人が検知されているか否か判断され（Ｓ１０５）、人が検知されなくなった（Ｓ１０５：Ｙｅｓ、；図８（ｂ））ときに、画像形成装置制御部１１は排気装置７０の排気ファン７２をＯＦＦにして、香りの放出を停止する（Ｓ１０６）。
【００４８】
尚、人検知カメラ１２０の撮像領域（Ａ２）で人が検知されなくなった（Ｓ１０５：Ｙｅｓ）ときに、画像形成装置制御部１１は、タイマー機能を利用して、定められた時間の経過後に排気装置７０の排気ファン７２をＯＦＦにして、香りの放出を停止してもよい。
【００４９】
本実施形態に係る画像形成装置１においては、画像形成装置１の動作モードが待機状態において、人検知装置１００が予め定められた領域内に人が入ってきたことを検知して排気装置７０を動作させ、香りの放出を開始するために、使用者へ香りが届くまでのタイムラグの発生が抑制され、使用者が画像形成装置１を操作している間に香りを届けることができる。
また、人感センサ１１０が予め定められた検知範囲Ａ１内に人が入ってきたことを検知した場合、更に、人検知カメラ１２０で撮像された画像データに基づいて検知された人が「使用者」であると判定されたときに、排気装置７０を動作させ、香りの放出を開始するために、画像形成装置１の「使用者」に香りを届けることができる。
【００５０】
「第２実施形態」
図９は画像形成装置１Ａにおける排気装置７０の動作の流れを示すフローチャートである。
本実施形態の画像形成装置１Ａの基本構成は第１実施形態の画像形成装置１と同様であり、人感センサ１１０が予め定められた領域（図５に示す検知範囲Ａ１）内に人が入ってきたことを検知したときに、排気装置７０の排気ファン７２をＯＮにして、香りを放出する点で第１実施形態と同様である。
以下、本実施形態の画像形成装置１Ａにおける排気装置７０Ａの動作について図９を用いて説明するが、第１実施形態に係る画像形成装置１と共通の構成要素には、同一の符号を付し、その詳細な説明は省略する。
【００５１】
人感センサ１１０が予め定められた領域（図５に示す検知範囲Ａ１）内に人が入ってきたことを検知する（Ｓ２０１）と、画像形成装置制御部１１は、排気装置７０Ａの排気ファン７２を予め定められた第１の回転数で運転して香りの放出を開始する（Ｓ２０２）。
【００５２】
また、人感センサ１１０の検知信号が制御部１６０に送られ、制御部１６０は、人感センサ１１０の検知信号に基づいて、人検知カメラ１２０をＯＮにして、人検知カメラ１２０の撮像領域（図４に示す撮像範囲Ａ２）において撮影され画像蓄積部１３０に入力された画像データを取得する（Ｓ２０３）。
【００５３】
そして、判定処理部１４０は、人検知カメラ１２０で検知された人が「使用者」か「非使用者」かの判定を行う（Ｓ２０４）。具体的には、取得される画像データから人の位置座標を時系列に沿って算出し、算出される位置座標の変化に基づいて、使用者が画像形成装置１に接近していることを検知する。すなわち、予め定められた人検知カメラ１２０の撮像領域内における人が「使用者」又は「非使用者」の判定を行う。
撮像領域内で検知された人が「使用者」と判定された場合（Ｓ２０４：Ｙｅｓ）、画像形成装置制御部１１は排気装置７０Ａの排気ファン７２を第１の回転数よりも低い第２の回転数で運転して香りを放出する（Ｓ２０５）。
【００５４】
「使用者」が画像形成装置１の使用を終えて、画像形成装置１から離れる状態においては、人検知カメラ１２０の撮像領域（Ａ２）で人が検知されているか否か判断され（Ｓ２０６）、人が検知されなくなった（Ｓ２０６：Ｙｅｓ）ときに、画像形成装置制御部１１は排気装置７０Ａの排気ファン７２をＯＦＦにして、香りの放出を停止する（Ｓ２０７）。
【００５５】
尚、人検知カメラ１２０の撮像領域（Ａ２）で人が検知されなくなった（Ｓ２０６：Ｙｅｓ）ときに、画像形成装置制御部１１は、タイマー機能を利用して、定められた時間の経過後に排気装置７０Ａの排気ファン７２をＯＦＦにして、香りの放出を停止してもよい。
【００５６】
本実施形態に係る画像形成装置１Ａは、人感センサ１１０が予め定められた領域（図５に示す検知範囲Ａ１）内に人が入ってきたことを検知したときに、排気装置７０Ａの排気ファン７２を予め定められた第１の回転数で運転して香りの放出を開始するために、画像形成装置１が設置されている周辺環境内の人に香りを届けることができる。
さらに、人検知カメラ１２０で撮像された画像データに基づいて検知された人が画像形成装置１に接近していることが検知されたとき、すなわち、「使用者」であると判定されたときに、排気装置７０Ａの排気ファン７２を第１の回転数よりも低い第２の回転数で運転して香りを放出するために、使用者が近づいているときに香りを弱くしない場合に比して、「使用者」にとって過度な香りを抑制し適度な香りが届けられる。
【００５７】
第１実施形態及び第２実施形態において、人感センサ１１０及び人検知カメラ１２０は、画像形成装置１の読取装置支持部４における、外装カバー５の内面側に配置された構成について説明したが、人感センサ１１０及び人検知カメラ１２０の配置位置は、これに限られず、例えば、画像形成装置１が設置されたオフィス空間内に画像形成装置１とは分離して配置し外付けされてもよい。
また、「使用者」の判定には、人検知カメラ１２０の撮像データを用いる以外に、使用者が所有する無線カードを用いて人体の特徴を利用して認証を行う公知の認証システムを用いることができる。また、使用者の顔の特徴をデータとして記憶しておき、人検知カメラ１２０で読取った利用者の顔の特徴と照合して顔画像認証処理を行うものであってもよい。
【符号の説明】
【００５８】
１、１Ａ・・・画像形成装置
２・・・画像形成部
３・・・読取部
４・・・読取装置支持部
５・・・外装カバー
１０・・・制御装置
２０・・・給紙装置
３０・・・感光体ユニット
４０・・・現像装置
５０・・・転写装置
６０・・・定着装置
７０、７０Ａ・・・排気装置
７１・・・通気ダクト
７２・・・排気ファン
７３・・・フィルタ
７３ｂ・・・香りフィルタ材  
９０・・・操作情報部
１００・・・人検知装置
１１０・・・人感センサ
１１１・・・焦電センサ
１２０・・・人検知カメラ
１２１・・・撮像部 
１２２・・・映像出力部
１２０Ａ・・・反射型センサ
１３０・・・画像蓄積部 
１４０・・・判定処理部
１５０・・・送信部
１６０・・・制御部
【図１】
0006398490.tif 000002
【図２】
0006398490.tif 000003
【図３】
0006398490.tif 000004
【図４】
0006398490.tif 000005
【図５】
0006398490.tif 000006
【図６】
0006398490.tif 000007
【図７】
0006398490.tif 000008
【図８】
0006398490.tif 000009
【図９】
0006398490.tif 000010